(57)【特許請求の範囲】
【請求項１】
受取人の不在時に配達された宅配物を一時預かりする宅配物ロッカーによって前記宅配物が受領された旨を証明する受領印を捺印する宅配物ロッカー用受領印捺印装置において、
上面に平坦部を有するベース部と、
前記ベース部と分離可能なように構成され、前記ベース部の上部に取り付けられた伝票ガイド板と、
前記受領印の捺印を行う印章と、
前記受領印が捺印される伝票が定位置に配置されたことを検出する伝票検出手段と、
前記宅配物が前記宅配物ロッカーに収納され、なおかつ、前記伝票検出手段が、前記伝票が定位置に配置されたことを検出した場合にのみ、前記印章を移動させ、前記受領印の捺印を行わせる印章移動手段と、
を有することを特徴とする宅配物ロッカー用受領印捺印装置。
【請求項２】
前記伝票ガイド板は、
取り付けねじによって、前記ベース部の上部に取り付けられることを特徴とする請求項１記載の宅配物ロッカー用受領印捺印装置。
【請求項３】
前記ベース部と伝票ガイド板との間に設けられ、前記ベース部と前記伝票ガイド板との間に挿入された前記伝票の位置決めを行うスペーサを有し、
前記スペーサは、
前記ベース部と前記伝票ガイド板との間に挿入される前記伝票を定位置に誘導するスペーサ側伝票誘導部を有することを特徴とする請求項１記載の宅配物ロッカー用受領印捺印装置。
【請求項４】
前記伝票ガイド板は、
前記ベース部と前記伝票ガイド板との間に挿入される前記伝票を定位置に誘導する伝票ガイド板側伝票誘導部を有することを特徴とする請求項１記載の宅配物ロッカー用受領印捺印装置。
【請求項５】
前記印章移動手段は、
前記伝票ガイド板の上面に設けられる支柱と、
前記支柱の一部を軸とした回転運動が可能なように前記支柱に取り付けられた駆動棒と、
前記駆動棒の一部に取り付けられた駆動部を駆動する電磁石と、
を有し、
前記印章は、
前記駆動棒の一部に取り付けられることを特徴とする請求項１記載の宅配物ロッカー用受領印捺印装置。
【請求項６】
前記印章は、
前記駆動棒の下部に取り付けられ、
前記駆動棒は、
前記印章にインクを補充するための貫通穴を有することを特徴とする請求項５記載の宅配物ロッカー用受領印捺印装置。
【請求項７】
前記支柱と前記駆動棒との角度を変化させることにより、前記印章の捺印時間の調節を行う調節ねじを有することを特徴とする請求項５記載の宅配物ロッカー用受領印捺印装置。
【発明の詳細な説明】
【０００１】
【発明の属する技術分野】
本発明は、受領印を捺印する宅配物ロッカー用受領印捺印装置に関し、特に、受取人の不在時に配達された宅配物を一時預かりする宅配物ロッカーにおいて受領印の捺印を行う宅配物ロッカー用受領印捺印装置に関する。
【０００２】
【従来の技術】
郵便等によって宅配物が配達される場合、その宅配物の受け渡しは、一般に、配達人から受取人へ手渡しによって行われる。これは、宅配物の受け渡しの確実性を確保するためであり、このように宅配物を受領した受取人は、配達人が持参した所定の伝票に宅配物を受領した旨を証明するための捺印或いはサインを行い、配達人は、この捺印或いはサインが行われた伝票を持ち帰る。この伝票は、宅配物が受取人によって受領された旨を証明する証拠となり、宅配物が配達されていない等の配達上の問題が生じた場合、受取人による受領を証明する法的根拠となる。
【０００３】
また、一般に、配達時にその受取人が不在であった場合、その宅配物の受け渡しは行われず、配達人は、宅配物の受け渡しのために訪問を行った旨、及び宅配物の受け渡し方法等を記した不在時配達伝票を受取人の郵便受け等に投函する。帰宅した受取人は、自宅の郵便受け等に投函された不在時配達伝票を参照し、そこに記された所定の方法、例えば、配達を希望する日時を指定し、その指定日時に配達をしてもらう、或いは、宅配物が持ち帰られた郵便局等に受取人が出向く等の方法によって、宅配物の受け取りを行う。
【０００４】
【発明が解決しようとする課題】
しかし、従来の方法では、宅配物の配達時に受取人が不在であった場合、その宅配物は配達人によって一旦持ち帰られ、その後、不在時配達伝票の指示に応じ、受取人が配達日時を指定した場合、配達人は、再度、その宅配物の配達を行わなければならないため、配達業務が非効率なものとなっていたという問題点がある。
【０００５】
また、宅配物の受取人側にとっても、不在時に宅配物を受領できないことは不都合であり、宅配物受領の利便性に欠けるという問題点もある。
本発明はこのような点に鑑みてなされたものであり、宅配物の配達業務を効率化することが可能な宅配物ロッカー用受領印捺印装置を提供することを目的とする。
【０００６】
また、本発明の他の目的は、宅配物の受取人の利便性を向上させる宅配物ロッカー用受領印捺印装置を提供することである。
【０００７】
【課題を解決するための手段】
本発明では上記課題を解決するために、受取人の不在時に配達された宅配物を一時預かりする宅配物ロッカーによって前記宅配物が受領された旨を証明する受領印を捺印する宅配物ロッカー用受領印捺印装置において、上面に平坦部を有するベース部と、前記ベース部と分離可能なように構成され、前記ベース部の上部に取り付けられた伝票ガイド板と、前記受領印の捺印を行う印章と、前記受領印が捺印される伝票が定位置に配置されたことを検出する伝票検出手段と、前記宅配物が前記宅配物ロッカーに収納され、なおかつ、前記伝票検出手段が、前記伝票が定位置に配置されたことを検出した場合にのみ、前記印章を移動させ、前記受領印の捺印を行わせる印章移動手段とを有することを特徴とする宅配物ロッカー用受領印捺印装置が提供される。
【０００８】
ここで、受取人の不在時に配達された宅配物は、その配達人によって宅配物ロッカーに収納され、ベース部と伝票ガイドとの間には、その配達に関する伝票が挿入され、伝票検出手段は、伝票が定位置に配置されたことを検出し、印章移動手段は、宅配物が宅配物ロッカーに収納され、なおかつ、伝票検出手段が、伝票が定位置に配置されたことを検出した場合にのみ、印章を移動させ、印章は、この移動により、伝票に受領印を捺印する。
【０００９】
【発明の実施の形態】
以下、本発明の実施の形態を図面を参照して説明する。
図１は、本形態における宅配物ロッカー用受領印捺印装置１の構成を例示した平面図であり、図２の（ａ）はその正面図、図２の（ｂ）は背面図、図３の（ａ）は右側面図、図３の（ｂ）は左側面図である。また、図４の（ａ）は、図１におけるＢ―Ｂ断面図、図４の（ｂ）は、その伝票ガイド板側伝票誘導部３ａ付近の拡大図であり、図５は、図２の（ａ）におけるＣ―Ｃ断面図である。
【００１０】
宅配物ロッカー用受領印捺印装置１は、受取人の不在時等に配達された宅配物がその宅配物を一時預かりする宅配物ロッカーに収納された際、その受領を証明する受領印を伝票２０に捺印する自動捺印装置である。
【００１１】
この宅配物ロッカー用受領印捺印装置１は、例えば、上面に平面部を有するベース部２、ベース部２の上部に、ベース部２と分離可能なように構成され、ベース部２の上部に取り付けられる伝票ガイド板３、ベース部２と伝票ガイド板３との間に設けられ、ベース部２と伝票ガイド板３との間に挿入された伝票２０の位置決めを行うスペーサ１５ａ、１５ｂ、受領印の捺印を行う印章５、印章５がベース部２の平面部と略垂直に上下移動できるように印章５を保持する印章保持機構４、伝票２０が定位置に配置されたことを検出する伝票検出手段であるマイクロスイッチ１０、宅配物が宅配物ロッカーに収納され、なおかつ、伝票検出手段が、伝票が定位置に配置されたことを検出した場合にのみ、印章５を移動させ、受領印の捺印を行わせる印章移動手段である回路部１１、電磁石６、支柱７及び駆動棒８、駆動棒８を支柱７に取り付ける取り付け軸１３ａ、駆動棒８を電磁石６に取り付ける取り付け軸１３ｂ、支柱７を伝票ガイド板３の上面に取り付けるねじ９ａ〜９ｄ、マイクロスイッチ１０を伝票ガイド板３に取り付けるねじ９ｅ、ベース部２の上部に伝票ガイド板３を取り付ける取り付けねじ１２ａ、１２ｂ、及び支柱７と駆動棒８との角度を変化させることにより、印章５の捺印時間の調節を行う調節ねじ１４を有している。
【００１２】
ベース部２は、例えば、上面に平坦部を有する略四角形の板であり、向かい合う一組の縁部分には、取り付けねじ１２ａ、１２ｂがねじ込まれる図示していない２つのねじ穴が形成される。なお、ベース部２を構成する材質としては、ある程度の機械的強度を有するものであれば、鉄板の表面を亜鉛でめっきしたもの等特に制限なく使用できる。
【００１３】
伝票ガイド板３は、例えば、略四角形に形成された板の一辺を略垂直に、その一辺と向かい合う一辺を斜めに、それぞれ同一方向に折り返したような形状を有しており、この斜めに折り返されたような形状を有する部分が、ベース部２と伝票ガイド板３との間（伝票挿入部１６）に挿入される伝票２０を定位置に誘導する伝票ガイド板側伝票誘導部３ａとなる構成となっている。
【００１４】
ここで、この伝票ガイド板側伝票誘導部３ａは、その折り返し角度θ１（伝票ガイド板３において折り返されたようになっていない部分の延長面（図４の（ｂ）に示す点線）と、伝票ガイド板側伝票誘導部３ａの底面部分とでなす角度）が、３０°以上６０°以下の範囲（３０°≦θ１≦６０°）となるように形成されることが望ましい。これは、折り返し角度θ１が小さすぎると、伝票ガイド板側伝票誘導部３ａによって誘導可能な伝票２０の誘導範囲が小さくなり、結果として、伝票２０の伝票挿入部１６への挿入が困難になり、また、折り返し角度θ１が大きすぎると、挿入された伝票２０と伝票ガイド板側伝票誘導部３ａの底面とのなす角度が大きくなり、伝票２０の誘導自体が困難となるからである。なお、この伝票２０の誘導の様子については、後述する。
【００１５】
また、例えば、伝票ガイド板３の中心付近には、その表裏面を略円状に貫通し、捺印時に印章５が通過する図示していない印章通過口が形成され、さらに、その両端の縁部分には、取り付けねじ１２ａ、１２ｂが挿入される図示していないねじ穴が設けられる。なお、伝票ガイド板３を構成する材質としては、ある程度の機械的強度を有するものであれば、鉄板の表面を亜鉛でめっきしたもの等特に制限なく使用できる。
【００１６】
図５に示すように、スペーサ１５ａ、１５ｂは、例えば、平面投影形状が、略長方形の１頂点を斜めに切除した略５角形となるような形状を有し、この斜めに削除したような部分が、ベース部２と伝票ガイド板３との間に挿入される伝票２０を定位置に誘導するスペーサ側伝票誘導部１５ａａ、１５ｂａとなる構成となっている。ここで、このスペーサ側伝票誘導部１５ａａ、１５ｂａは、伝票ガイド板側伝票誘導部３ａの場合と同様な理由により、その誘導角度θ２、θ３（スペーサ１５ａ、１５ｂ側面の延長面（図５に示す点線）と、上述の略長方形の１頂点を斜めに切除した面とでなす角度）が、５°以上４０°以下の範囲（５°≦θ２、θ３≦４０°）となるように形成されることが望ましい。なお、この伝票２０の誘導の様子については、後述する。
【００１７】
また、スペーサ１５ａ、１５ｂの中心付近には、取り付けねじ１２ａ、１２ｂが挿入されるねじ穴１５ａｂ、１５ｂｂが、その表裏面を貫通するように形成される。なお、スペーサ１５ａ、１５ｂを構成する材質としては、ある程度の機械的強度を有するものであれば、金属、絶縁体等特に制限なく使用することができる。
【００１８】
印章５には、例えば、捺印する受領印の形状が形成された先端部へのインク供給を自動的に行うことができるものであれば、その構造、原理等特に制限なく使用できる。ただし、メンテナンスの簡略化のため、できるだけ少ない回数のインク交換で、できるだけ多くの捺印が可能な構造であることが望ましい。
【００１９】
印章保持機構４は、例えば、印章５とともに構成され、一般市場に流通しているものを流用することとしてもよく、また、本装置の使用に適した形状に形成したものを用いることとしてもよい。
【００２０】
マイクロスイッチ１０は、例えば、マイクロスイッチ１０本体に保持された一端を回転軸とした回転運動を行うスイッチ板１０ａを有する機械的なスイッチである。マイクロスイッチ１０のオン・オフの切り替えは、このスイッチ板１０ａに伝票２０の縁部分を押しつけ、このスイッチ板１０ａを回転させることによって行われる。
【００２１】
回路部１１は、例えば、配線パターンが形成された実装基板に半導体等の各種電子部品が実装されることによって構成され、印章５の移動を制御するロジックとしての機能を果たす。
【００２２】
電磁石６は、例えば、棒状に形成された駆動部６ａを有しており、この駆動部６ａは、電磁石６に所定の電流が与えられることにより上下方向に移動する。本形態では、この駆動部６ａは、電磁石６に所定の電流が与えられた際に上方向に移動し、電流の供給が所定以下となった際に下方向に移動する。
【００２３】
支柱７は、例えば、略長方形の板をコの字状に折り返し、さらにその両端部分を外側に略直角に折り返したような形状を有しており、その外側に略直角に折り返されたように形成される部分を、ねじ９ａ〜９ｄによって、伝票ガイド板３の上面にねじ止めすることにより、伝票ガイド板３へ取り付けられる。また、支柱７には、このように伝票ガイド板３に取り付けられた際、最上部に位置することとなる上面部７ａに、調節ねじ１４が挿入される図示していないねじ穴が、同じく伝票ガイド板３に取り付けられた際、伝票ガイド板３と略垂直に配置されることとなる側面部７ｂ、７ｃに、取り付け軸１３ａが挿入される図示していない軸受け穴が、それぞれ形成される。なお、支柱７を構成する材質としては、ある程度の機械的強度を有するものであれば、鉄板の表面を亜鉛でめっきしたもの等特に制限なく使用できる。
【００２４】
駆動棒８は、例えば、長方形の板をコの字型に折り返したような形状に形成された棒状の構造体であり、このように折り返された両側面部分には、取り付け軸１３ａ、１３ｂを取り付けるための図示していない軸受け穴が、この両側面部分に挟まれた上面部分には、印章５にインクを補充するための貫通穴であるインク投入口８ａが、それぞれ設けられる。
【００２５】
図５に示すように、ベース部２の上面には、回路部１１が取り付けられ、また、ベース部２にの向かい合う一組の縁の上面部分には、２個のスペーサ１５ａ、１５ｂが、スペーサ側伝票誘導部１５ａａ、１５ｂａ以外の部分における相互の間隔が伝票２０の幅よりもわずかに広くなり、スペーサ側伝票誘導部１５ａａ、１５ｂａが相互に向かい合うように配置される。
【００２６】
このようにベース部２上に配置されたスペーサ１５ａ、１５ｂのさらに上面には、伝票ガイド板３が配置され、以上のように配置されたベース部２、スペーサ１５ａ、１５ｂ及び伝票ガイド板３は、取り付けねじ１２ａ、１２ｂによって、相互にねじ止め固定される。これにより、伝票ガイド板３は、ベース部２の上部に、ベース部２から一定の間隔をおいて、ベース部２の平面部と略平行に配置されることとなり、このように配置されたベース部２、伝票ガイド板３及びスペーサ１５ａ、１５ｂによって囲まれる隙間は、伝票２０が挿入される伝票挿入部１６を構成することとなる。
【００２７】
伝票ガイド板３の上面には、印章５をベース部２の平面部と略垂直に上下移動できるように保持した印章保持機構４が取り付けられる。ここでの取り付けは、印章保持機構４が伝票ガイド板３に設けられた印章通過口の上部に配置され、それに保持された印章５が印章通過口の真上に位置するように行われる。
【００２８】
また、伝票ガイド板３の上面には、支柱７が、ねじ９ａ〜９ｄによってねじ止め固定され、伝票ガイド板３の略直角に折り返された部分には、電磁石６の側面が取り付けられる。また、伝票ガイド板３の略直角に折り返された部分の一部は、さらに略直角に折り返されており、このさらに折り返された部分には、マイクロスイッチ１０が、ねじ９ｅによって、ねじ止め固定される。これによりマイクロスイッチ１０は、伝票ガイド板３におけるスペーサ１５ａ、１５ｂが設けられていない側の１つの縁部分に設けられ、このマイクロスイッチ１０及びスペーサ１５ａ、１５ｂによって、後述する伝票２０の定位置への位置決めが行われることとなる。
【００２９】
図２の（ａ）に示すように、上面部７ａ、側面部７ｂ及び側面部７ｃに囲まれた支柱７の内側上部付近には、駆動棒８の一端が配置され、このように配置された駆動棒８の一端は、取り付け軸１３ａによって、支柱７の側面部７ｂ、７ｃに回転可能なように取り付けられる。また、図２の（ｂ）及び図３に示すように、駆動棒８には、電磁石６の駆動部６ａが、取り付け軸１３ｂによって、駆動棒８に対して回転可能なように取り付けられ、さらに、図３に示すように、この駆動棒８における支柱７の取り付け部分と、電磁石６の駆動部６ａの取り付け部分との間部分には、印章５の上部が取り付けられる。また、図１に示すように、駆動棒８は、駆動棒８に設けられたインク投入口８ａが印章５の真上に配置されるように取り付けられ、これにより、このインク投入口８ａを介し、印章５へのインクの補充を行うことが可能な構成となっている。
【００３０】
また、図３等に示すように、調節ねじ１４は、支柱７の上面部７ａに設けられた図示していないねじ穴にねじ込まれ、その先端部が、上述のように支柱７に取り付けられた駆動棒８の上面部分に配置される。ここで、駆動棒８には調節ねじ１４をねじ込むためのねじ穴が設けられておらず、この調節ねじ１４による駆動棒８の固定は行われない。しかし、この駆動棒８の上面部分の一部は、調節ねじ１４の先端部によって位置決めされ、この調節ねじ１４の支柱７へのねじ込み度合いに応じ、駆動棒８と支柱７との角度を変化させることが可能となる。
【００３１】
図６は、このように調節ねじ１４を用いて駆動棒８と支柱７との角度θ４を変化させた様子を例示した図１におけるＢ―Ｂ断面図である。
上述のように、調節ねじ１４は支柱７の上面部７ａにねじ込まれ、その先端部は、回転可能なように支柱７に取り付けられた駆動棒８の上面部分に配置される（図６の（ａ））。
【００３２】
ここで、調節ねじ１４をさらにねじ込んだ場合（図６の（ｂ））、その調節ねじ１４の先端は、駆動棒８の上面部分を下方向（Ｄ方向）に加圧することとなり、これにより、駆動棒８は、取り付け軸１３ａを回転軸として、駆動棒８と支柱７との角度θ４が小さくなる方向に回転することとなる。この駆動棒８の回転により、駆動軸８に取り付けられている印章５は、下方向（Ｅ方向）に移動することとなり、結果的に、印章５の先端部とベース部２表面との距離を変化させることが可能となる。
【００３３】
このように、調節ねじ１４によって駆動棒８と支柱７との角度θ４を変化させ、印章５の先端部とベース部２表面との距離を変化させることにより、後述する捺印動作時における捺印時間（伝票２０に印章５が押しつけられている時間）を変化させることが可能となる。具体的には、調節ねじ１４のねじ込み度合いを小さくし、印章５の先端部とベース部２表面との距離を大きくとった場合、この捺印時間を短くすることが可能となり、一方、調節ねじ１４のねじ込み度合いを大きく、印章５の先端部とベース部２表面との距離を小さくとった場合、この捺印時間を長くすることが可能となる。ここで、捺印時間が短すぎた場合、伝票２０への受領印の捺印が十分に行えない不具合が生じ、また、捺印時間が長すぎた場合、配達人が伝票挿入部１６内の伝票２０を引き抜く際、その伝票２０が捺印状態（伝票２０に印章５が押しつけられている状態）である可能性が増加し、捺印状態で伝票２０を引き抜くことによって生じる伝票破れ等の不具合が生じる可能性が増加する。利用者は、この調節ねじ１４を用いることにより、このような不具合が生じにくい適切な捺印時間を設定することが可能となり、宅配物ロッカー用受領印捺印装置１の使いやすさを向上させることが可能となる。
【００３４】
図７は、前述のように構成された宅配物ロッカー用受領印捺印装置１が分離される様子を例示した左側面図である。
前述のように、伝票ガイド板３は、ベース部２と分離可能なように構成され、取り付けねじ１２ａ、１２ｂによって、ベース部２に取り付けられている。そのため、この取り付けねじ１２ａ、１２ｂを取り外すことにより、図７のように、伝票ガイド板３とベース部２とを容易に分離することが可能となり、図２に示した伝票挿入部１６内において伝票詰まり等のトラブルが発生した場合、この分離により、このようなトラブルを容易に取り除くことが可能となる。
【００３５】
図８は、宅配物ロッカー用受領印捺印装置１が使用される宅配物ロッカー３０の構成例を例示した正面図であり、図９は、操作部３２の構成を例示した拡大図である。
【００３６】
宅配物ロッカー３０は、受取人の不在時に配達された宅配物の一時預かりを行う収納庫であり、例えば、宅配物を収納する複数のボックス３１ａ〜３１ｋ、宅配物ロッカー３０の操作等を行う操作部３２等によって構成され、マンションの共通玄関等に配置される。ここで、ボックス３１ａ〜３１ｋの大きさは複数種類用意され、収納される宅配物等の大きさに応じて使い分けられる。
【００３７】
また、ボックス３１ａは、その正面に開閉可能なドアを有しており、内部には、ボックス３１ａ内に宅配物が収納されたか否かを検知し、検出する荷物検出センサ３１ａａ、及びボックス３１ａのドアが閉められたか否か判断するドア開閉検知センサ３１ａｂを有している。このような構成は、他のボックス３１ｂ〜３１ｋについても同様であり、これらのボックス３１ｂ〜３１ｋにも、ボックス３１ａと同様、開閉可能なドア、荷物検出センサ及びドア開閉センサが設けられる。
【００３８】
操作部３２は、例えば、宅配物の配達先指定等の各種情報を入力するテンキー３２ａ、入力指示等の各種情報を表示する液晶表示画面３２ｂ、宅配物ロッカー３０全体の制御を行うプロセッサ等のロッカー制御装置３２ｃ、及び伝票２０への受領印の捺印を行う宅配物ロッカー用受領印捺印装置１を有している。
【００３９】
図１０は、宅配物ロッカー３０の電気的な構成を例示した構成図である。
上述したように、例えば、宅配物ロッカー３０は、ボックス３１ａ及び操作部３２を有しており、ボックス３１ａは、荷物検出センサ３１ａａ及びドア開閉検知センサ３１ａｂを、操作部３２は、テンキー３２ａ、液晶表示画面３２ｂ、ロッカー制御装置３２ｃ及び宅配物ロッカー用受領印捺印装置１を、宅配物ロッカー用受領印捺印装置１は、電磁石６、回路部１１及びマイクロスイッチ１０をそれぞれ有している。ここで、ロッカー制御装置３２ｃは、テンキー３２ａ、液晶表示画面３２ｂ、荷物検出センサ３１ａａ、ドア開閉検知センサ３１ａｂ、マイクロスイッチ１０及び回路部１１と電気的に接続されており、回路部１１は、電磁石６と電気的に接続されている。なお、図１０では、説明の簡略化のため、ボックスとしてボックス３１ａのみを記載し、ボックス３１ａと操作部３２との電気的な接続のみを例示しているが、実際には、他のボックス３１ｂ〜３１ｋについても、ボックス３１ａと同様に、操作部３２と電気的に接続される。
【００４０】
次に、図１〜図１０を用い、宅配物ロッカー用受領印捺印装置１及び宅配物ロッカー３０の動作について説明する。
宅配物ロッカー３０の利用を希望する利用者は、その前提として、例えば、宅配物ロッカー３０の管理者との利用契約を結び、このように利用契約を結んだ利用者の部屋番号は、宅配物ロッカー３０の図示していない記録装置に記録される。
【００４１】
利用契約を結んだ利用者宅を宅配物の配達人が訪問した際、その利用者が留守であった場合、その配達人は、宅配物ロッカー３０へ宅配物を収納することにより、その配達業務を行う。以下に、配達人が行う宅配物ロッカー３０への宅配物収納手順について説明する。
【００４２】
まず、操作部３２のロッカー制御装置３２ｃは、液晶表示画面３２ｂに対し、メニュー番号の入力指示表示を行わせる。ここでメニューとは、宅配物の配達、配達された宅配物の受け取り等の宅配物ロッカー３０に行わせようとする業務の種類のことであり、メニュー番号とは、各メニューに付された番号のことである。ここでのメニュー番号表示は、例えば、このメニューをメニュー番号とともに表示し、その選択及びキー入力を促すコメントを表示することにより行う。
【００４３】
この表示を見た配達人は、その表示に従いメニューの選択を行い、そのメニュー番号をテンキー３２ａから入力する。ここで、配達人が宅配物ロッカー３０に行わせようとしている業務は、宅配物の配達であるため、それに対応するメニューを選択し、そのメニュー番号の入力を行う。
【００４４】
入力されたメニュー番号の情報は、ロッカー制御装置３２ｃで処理され、次に、ロッカー制御装置３２ｃは、液晶表示画面３２ｂに対し、配達を行う部屋の部屋番号の入力指示表示を行わせる。この表示を見た配達人は、その指示に従い、テンキー３２ａを用いて配達を行う部屋番号を入力する。入力された部屋番号は、ロッカー制御装置３２ｃへ送られ、ロッカー制御装置３２ｃは、送られた部屋番号が登録されている契約者の部屋番号と一致するか否か判断する。ここで、部屋番号が一致した場合、ロッカー制御装置３２ｃは、その部屋番号を配達人に再確認させるため、液晶表示画面３２ｂに対し、部屋番号の再確認表示を行わせる。この表示を確認し、表示された部屋番号が正しいことを判断した配達人は、テンキー３２ａを用い、確認が終了した旨を示す確認入力を行う。
【００４５】
部屋番号の確認が終了すると、次に、ロッカー制御装置３２ｃは、液晶表示画面３２ｂに対してボックスサイズの選択指示表示を行わせる。この表示を閲覧した配達人は、配達する宅配物に対応するボックスサイズを選択し、テンキー３２ａを用いて入力する。入力されたボックスサイズの情報は、ロッカー制御装置３２ｃに送られ、ロッカー制御装置３２ｃは、入力されたボックスサイズに対応する１つのボックスを、ボックス３１ａ〜３１ｋからランダムに決定する。収納するボックスが決定すると、ロッカー制御装置３２ｃは、決定したボックスの大きさ、番号、そのボックスが開く旨を液晶表示画面３２ｂに表示させる。配達人は、液晶表示画面３２ｂに表示されたこれらの内容を確認し、テンキー３２ａを用い、確認が終了した旨を示す確認入力を行う。
【００４６】
確認入力が行われると、ロッカー制御装置３２ｃは、決定したボックスの電気鍵を開け、ブザーを鳴らす。そして、液晶表示画面３２ｂに、荷物を収納し、ドアを閉める旨を表示させる。この表示を見た配達人は、宅配物をボックスに収納し、ドアを閉める。
【００４７】
例えば、決定されたボックスがボックス３１ａであった場合、ボックス３１ａ内に宅配物が収納されたか否かは、荷物検出センサ３１ａａによって検知され、また、ドアが閉められたか否かは、ドア開閉検知センサ３１ａｂによって検知される。これらの検知情報は、ロッカー制御装置３２ｃへ送られ、これらの検知情報により、決定したボックス３１ａに宅配物が収納され、そのドアが閉じられた旨を判断したロッカー制御装置３２ｃは、液晶表示画面３２ｂに対し、伝票２０を宅配物ロッカー用受領印捺印装置１の伝票挿入部１６に挿入する旨を表示させる。
【００４８】
この表示を見た配達人は、持参した伝票２０を、宅配物ロッカー用受領印捺印装置１の伝票挿入部１６に、図１等に示したＡ方向に挿入する。
図１１は、このように伝票挿入部１６に挿入された伝票が、伝票挿入部１６内部に誘導される様子を例示した図である。ここで、図１１の（ａ）は、伝票２０が伝票ガイド板側伝票誘導部３ａによって誘導される様子を例示した伝票ガイド板側伝票誘導部３ａ付近の断面図であり、図１１の（ｂ）は、伝票２０がスペーサ側伝票誘導部１５ａａ、１５ｂａによって誘導される様子を例示した図２の（ａ）におけるＣ―Ｃ断面図である。
【００４９】
図１１の（ａ）に示すように、伝票２０が、伝票挿入部１６に対し、上方向にずれた状態でＡ方向に挿入された場合、その伝票２０は、伝票ガイド板側伝票誘導部３ａの底面に沿って、伝票挿入部１６方向（Ｆ方向）に誘導され、伝票挿入部１６内部の適切な位置に挿入される
また、図１１の（ｂ）に示すように、伝票２０が、伝票挿入部１６に対し、水平方向にずれた状態でＡ方向に挿入された場合、その伝票２０は、スペーサ側伝票誘導部１５ａａ（或いはスペーサ側伝票誘導部１５ｂａ）に沿って、伝票挿入部１６方向（Ｇ方向）に誘導され、伝票挿入部１６内部の適切な位置に挿入される。
【００５０】
図１２の（ａ）、（ｂ）及び図１３の（ａ）は、伝票挿入部１６内部に伝票２０が挿入される様子を例示した図１におけるＢ―Ｂ断面図である。
図１２に示すように、伝票挿入部１６にＡ方向に挿入された伝票２０は、その両側部分を図４に示したスペーサ１５ａ、１５ｂによって誘導された状態で、伝票挿入部１６内をＡ方向に進み、マイクロスイッチ１０のスイッチ板１０ａに到達する。なお、この段階では、マイクロスイッチ１０は、まだオフ状態となっている。
【００５１】
スイッチ板１０ａに到達した伝票２０の縁部分は、このスイッチ板１０ａに押しつけられ、これにより、スイッチ板１０ａは、図１２の（ｂ）に示すＨ方向に回転する。このスイッチ板１０ａの回転は、スイッチ板１０ａがベース部２と略垂直になるまで行われ、マイクロスイッチ１０は、この略垂直になった時点で、オン状態となる。また、スイッチ板１０ａは、この略垂直になった時点で、マイクロスイッチ１０本体側面に保持されることとなるため、挿入された伝票２０は、このスイッチ板１０ａ、スペーサ１５ａ、１５ｂによって位置決めされ、定位置に配置されることとなる。
【００５２】
このようにマイクロスイッチ１０がオン状態となり、伝票２０が定位置に配置されたことを検出した旨の情報は、ロッカー制御装置３２ｃに送られる。この情報により、マイクロスイッチ１０がオン状態となった旨を判断したロッカー制御装置３２ｃは、配達人によってテンキー３２ａの確認ボタンが押されることにより、回路部１１に対し、電磁石６を駆動する旨の指示を与え、この指示を受けた回路部１１は、電磁石６に対し、印章５の駆動指示を与える。
【００５３】
図１３の（ｂ）は、このような駆動指示によって電磁石６が駆動し、印章５が移動した様子を例示した図である。
回路部１１からの駆動指示を受けた電磁石６には、その駆動指示によって所定の電流が供給され、これにより、電磁石６の駆動部６ａが、図１３の（ｂ）に示すＩ方向に移動する。ここで、電磁石６の駆動部６ａは、駆動棒８に接続されているため、この駆動部６ａの駆動により、駆動棒８は、取り付け軸１３ａを中心に、図１３の（ｂ）に示すＪ方向に回転する。
【００５４】
このように駆動棒８がＪ方向に回転した場合、その回転によって、駆動棒８に取り付けられている印章５は、図１３の（ｂ）に示すＫ方向に押し込まれ、押し込まれた印章５の先端部である印章先端部５ａは、図示していない印章通過口を通過し、直下に配置されている伝票２０の上面に押しつけられる。
【００５５】
これにより、伝票２０への受領印の捺印が行われ、このように受領印が捺印された伝票２０は、宅配物の受け取り証明として、配達人によって持ち帰られることとなる。また、このように宅配物ロッカー３０に収納された宅配物は、その後、その受取人となる利用者が所定の宅配物受け取り処理が行われることによって取り出され、その利用者によって受領されることとなる。
【００５６】
次に、宅配物ロッカー用受領印捺印装置１及び宅配物ロッカー３０の動作をフローチャートを用いて説明する。
図１４〜図１６は、宅配物ロッカー用受領印捺印装置１及び宅配物ロッカー３０の動作手順を示したフローチャートである。
【００５７】
〔Ｓ１〕  メニュー番号の入力指示表示を行う。
〔Ｓ２〕  メニュー番号が入力される。
〔Ｓ３〕  入力されたメニュー番号の判断を行う。ここで、入力されたメニュー番号が、宅配物の配達処理を示すものであった場合、ステップＳ５に進む。入力されたメニュー番号が、宅配物の受け取り処理を示すものであった場合、ステップＳ４に進む。
【００５８】
〔Ｓ４〕  宅配物の受け取り処理を行う。
〔Ｓ５〕  部屋番号の入力指示表示を行う。
〔Ｓ６〕  部屋番号が入力される。
【００５９】
〔Ｓ７〕  ステップＳ６で入力された部屋番号が登録されているか否か判断する。ここで、部屋番号が登録されていた場合、ステップＳ８に進む。登録されていなかった場合、ステップＳ５に進む。
【００６０】
〔Ｓ８〕  ステップＳ６で入力された部屋番号の再確認表示を行う。
〔Ｓ９〕  部屋番号の再確認処理となる再確認入力が行われる。
〔Ｓ１０〕  ステップＳ９の再確認入力は、部屋番号が正しい旨を示す確認ボタンが押されたものであるか否か判断する。ここで、確認ボタンが押されたものであった場合、ステップＳ１１に進む。そうでない場合、ステップＳ５に進む。
【００６１】
〔Ｓ１１〕  ボックスサイズの選択指示表示を行う。
〔Ｓ１２〕  ボックスサイズが入力される。
〔Ｓ１３〕  ステップＳ１２で入力されたボックスサイズに該当するボックスをランダムに決定する。
【００６２】
〔Ｓ１４〕  ステップＳ１３で決定したボックスの大きさ、番号、そのボックスが開く旨を表示する。
〔Ｓ１５〕  ステップＳ１４での表示内容を確認した旨を示す確認ボタンが入力される。
【００６３】
〔Ｓ１６〕  ステップＳ１３で決定したボックスの電気錠を開け、ブザーを鳴らす。
〔Ｓ１７〕  ステップＳ１３で決定したボックスに荷物を入れ、ドアを閉める旨の指示を表示する。
【００６４】
〔Ｓ１８〕  ステップＳ１３で決定したボックスに荷物が収納され、ドアが閉められたか否か判断する。ここで、荷物が収納され、ドアが閉められたことが判断された場合、ステップＳ２０に進む。荷物が収納されていないか、ドアが閉められていないことが判断された場合、ステップＳ１９に進む。
【００６５】
〔Ｓ１９〕  ブザー音を継続させる。
〔Ｓ２０〕  伝票２０を差し込み、確認ボタンを押す旨の指示表示を行う。
〔Ｓ２１〕  伝票２０が差し込まれ、確認ボタンが押されたか否か判断する。
ここで、伝票２０が差し込まれ、確認ボタンが押されたことが判断された場合、ステップＳ２２に進む。伝票が差し込まれていないか、確認ボタンが押されていないことが判断された場合、ステップＳ２０に進む。
【００６６】
〔Ｓ２２〕  電磁石６を駆動することにより印章５を移動させ、受領印の捺印を行う。
〔Ｓ２３〕  お礼の旨を表示する。
【００６７】
このように、本形態では、受領印を捺印する印章５、受領印が捺印される伝票２０が定位置に配置されたことを検出する伝票検出手段であるマイクロスイッチ１０、宅配物が宅配物ロッカーに収納され、なおかつ、マイクロスイッチ１０が、伝票２０が定位置に配置されたことを検出した場合にのみ、印章５を移動させ、受領印の捺印を行わせる印章移動手段である電磁石６、支柱７、駆動棒８及び回路部１１によって、宅配物ロッカー用受領印捺印装置１を構成することとしたため、配達人が、受取人不在時に配達した宅配物を宅配物ロッカーに収納した際、その受領印を伝票２０に捺印させることが可能となり、宅配物の受取人が不在である場合においても宅配物の配達を行うことができ、宅配物の配達業務を効率化することが可能となる。
【００６８】
また、宅配物の受取人が不在である場合においても、宅配物の配達を行うことが可能となるため、その宅配物を受け取る受取人の利便性も向上することが可能となる。
【００６９】
さらに、伝票ガイド板３をベース部２と分離可能なように構成し、取り付けねじ１２ａ、１２ｂによって、伝票ガイド板３をベース部２に取り付けることとしたため、取り付けねじ１２ａ、１２ｂを取り外すだけで、伝票ガイド板３をベース部２から分離することが可能となり、伝票挿入部１６内で発生した伝票詰まり等のトラブルを容易に取り除くことが可能となる。
【００７０】
また、駆動棒８の上面部分にインク投入口８ａを設けることとしたため、駆動棒８を取り外すことなく、印章５へのインクの補充を行うことが可能となり、装置のメンテナンスを簡易化することが可能となる。
【００７１】
さらに、調節ねじ１４を設けることとしたため、この調節ねじ１４を用いることにより、適切な捺印時間を設定することが可能となり、宅配物ロッカー用受領印捺印装置１の使いやすさを向上させることが可能となる。
【００７２】
なお、本発明は、上述の実施形態に限定されるものではない。例えば、本形態では、ボックス３１ａ〜３１ｋに宅配物が収納され、そのボックスのドアが閉められ、さらにマイクロスイッチ１０がオン状態となった場合に、印章５を移動させ、受領印の捺印を行わせることとしたが、さらに追加条件として、ボックス３１ａ〜３１ｋへの宅配物収納後におけるマイクロスイッチ１０のオン状態回数、すなわちマイクロスイッチ１０が検出したボックスへの宅配物収納後における伝票２０の定位置への配置回数が、所定回数以下であった場合にのみ、印章５を移動させ、受領印の捺印を行わせることとしてもよい。
【００７３】
また、本形態では、電磁石６の制御を、回路部１１を介して行うこととしたが、回路部１１を設けず、ロッカー制御装置３２ｃにより、直接に電磁石６の制御を行う構成としてもよい。
【００７４】
さらに、本形態では、マイクロスイッチ１０のオン・オフ情報の制御をロッカー制御装置３２ｃで行うこととしたが、この制御を回路部１１で行う構成としてもよい。
【００７５】
【発明の効果】
以上説明したように本発明では、受領印を捺印する印章、受領印が捺印される伝票が定位置に配置されたことを検出する伝票検出手段、及び宅配物が宅配物ロッカーに収納され、なおかつ、伝票検出手段が、伝票が定位置に配置されたことを検出した場合にのみ、印章を移動させ、受領印の捺印を行わせる印章移動手段によって宅配物ロッカー用受領印捺印装置を構成することとしたため、宅配物の受取人が不在である場合においても、宅配物の配達を行うことが可能となり、宅配物の配達業務を効率化することが可能となる。
【００７６】
また、宅配物の受取人が不在である場合においても、宅配物の配達を行うことが可能となるため、その宅配物を受け取る受取人の利便性を向上させることが可能となる。
【図面の簡単な説明】
【図１】宅配物ロッカー用受領印捺印装置の構成を例示した平面図である。
【図２】（ａ）は、宅配物ロッカー用受領印捺印装置の構成を例示した正面図、（ｂ）は、その背面図である。
【図３】（ａ）は、宅配物ロッカー用受領印捺印装置の構成を例示した右側面図、（ｂ）は、その左側面図である。
【図４】（ａ）は、図１におけるＢ―Ｂ断面図、（ｂ）は、その伝票ガイド板側伝票誘導部付近の拡大図である。
【図５】図２の（ａ）におけるＣ―Ｃ断面図である。
【図６】（ａ）及び（ｂ）は、調節ねじを用いて駆動棒と支柱との角度θ４を変化させた様子を例示した図１におけるＢ―Ｂ断面図である。
【図７】宅配物ロッカー用受領印捺印装置が分離される様子を例示した左側面図である。
【図８】宅配物ロッカー用受領印捺印装置が使用される宅配物ロッカーの構成例を例示した正面図である。
【図９】操作部の構成を例示した拡大図である。
【図１０】宅配物ロッカーの電気的な構成を例示した構成図である。
【図１１】伝票挿入部に挿入された伝票が、伝票挿入部内部に誘導される様子を例示した図である。ここで、（ａ）は、伝票が伝票ガイド板側伝票誘導部によって誘導される様子を例示した伝票ガイド板側伝票誘導部付近の断面図であり、（ｂ）は、伝票がスペーサ側伝票誘導部によって誘導される様子を例示した図２の（ａ）におけるＣ―Ｃ断面図である。
【図１２】（ａ）及び（ｂ）は、伝票挿入部内部に伝票が挿入される様子を例示した図１におけるＢ―Ｂ断面図である。
【図１３】（ａ）は、伝票挿入部内部に伝票が挿入される様子を例示した図１におけるＢ―Ｂ断面図であり、（ｂ）は、電磁石が駆動し、印章が移動した様子を例示した図である。
【図１４】宅配物ロッカー用受領印捺印装置及び宅配物ロッカーの動作手順を示したフローチャートである。
【図１５】宅配物ロッカー用受領印捺印装置及び宅配物ロッカーの動作手順を示したフローチャートである。
【図１６】宅配物ロッカー用受領印捺印装置及び宅配物ロッカーの動作手順を示したフローチャートである。
【符号の説明】
１  宅配物ロッカー用受領印捺印装置
２  ベース部
３  伝票ガイド板
３ａ  伝票ガイド板側伝票誘導部
４  印章保持機構
５  印章
５ａ  印章先端部
６  電磁石
６ａ  駆動部
７  支柱
８  駆動棒
９ａ〜９ｅ  ねじ
１０  マイクロスイッチ
１０ａ  スイッチ板
１１  回路部
１２ａ、１２ｂ  取り付けねじ
１３ａ、１３ｂ  取り付け軸
１４  調節ねじ
１５ａ、１５ｂ  スペーサ
１５ａａ、１５ｂａ  スペーサ側伝票誘導部
１６  伝票挿入部
２０  伝票
３０  宅配物ロッカー
３１ａ〜３１ｋ  ボックス
３１ａａ  荷物検出センサ
３１ａｂ  ドア開閉検知センサ
３２  操作部
３２ａ  テンキー
３２ｂ  液晶表示画面
３２ｃ  ロッカー制御装置
【図１】
0004684412.tif 000002
【図２】
0004684412.tif 000003
【図３】
0004684412.tif 000004
【図４】
0004684412.tif 000005
【図５】
0004684412.tif 000006
【図６】
0004684412.tif 000007
【図７】
0004684412.tif 000008
【図８】
0004684412.tif 000009
【図９】
0004684412.tif 000010
【図１０】
0004684412.tif 000011
【図１１】
0004684412.tif 000012
【図１２】
0004684412.tif 000013
【図１３】
0004684412.tif 000014
【図１４】
0004684412.tif 000015
【図１５】
0004684412.tif 000016
【図１６】
0004684412.tif 000017